(57)【要約】【課題】複数の収納物を互いに密接させた状態で収納させることなく、また、収納物の選択的な取りだしを可能とした収納ケースを提供すること。【解決手段】外ケース３から引出された状態で、相互に隣り合って展開可能な複数の収納物保持部６０、６１、６２、６３を内ケース２は有し、複数の収納物保持部６０、６１、６２、６３は、そのうちの１つの収納物保持部６０に他の収納物保持部６１、６２、６３を重ねた状態で折り畳まれて外ケース３内に収納される。【選択図】        図１
2004292010.tif 000002
【特許請求の範囲】
【請求項１】
紙材を折り畳んで得られ、一側面に挿入口を形成した外ケースと、
紙材を折り畳んで得られ、前記挿入口に対して摺動自在な内ケースとからなる収納ケースであって、
前記内ケースは、前記外ケースから引出された状態で、相互に隣り合って展開可能な複数の収納物保持部を有し、
前記複数の収納物保持部は、そのうちの１つの収納物保持部に他の収納物保持部を重ねた状態で折り畳まれて前記外ケース内に収納される
ことを特徴とする収納ケース。
【請求項２】
前記内ケースにおいて、折られる箇所には罫線が形成され、前記罫線自体の幅の調整あるいは前記罫線どうしの間隔の調整によって前記収納物保持部内における前記収納物の保持力が設計されている
ことを特徴とする請求項１に記載の収納ケース。
【請求項３】
前記罫線は、その延在方向に沿って部分的に破断されている
ことを特徴とする請求項１に記載の収納ケース。
【請求項４】
前記内ケースには、前記複数の収納物保持部のそれぞれの一側辺部が集まって配置される背板部が設けられ、前記背板部を中心に前記複数の収納物保持部は見開きされる
ことを特徴とする請求項１に記載の収納ケース。
【請求項５】
前記内ケースが前記外ケース内に収納されると、前記背板部により前記挿入口が塞がれる
ことを特徴とする請求項４に記載の収納ケース。
【請求項６】
前記外ケースに、前記内ケースの引出し方向と反対側に折り返された外ケース側係止片が設けられ、
前記内ケースに、前記外ケース側係止片が折り返されて形成された折曲部に引っかかり可能な内ケース側係止片が設けられている
ことを特徴とする請求項４に記載の収納ケース。
【請求項７】
前記複数の収納物保持部は、全ての収納物保持部が略同時に展開されるように相互に連接されている
ことを特徴とする請求項１に記載の収納ケース。
【請求項８】
前記外ケースに、前記内ケースの引出し方向と反対側に折り返された外ケース側係止片が設けられ、
前記内ケースに、前記外ケース側係止片が折り返されて形成された折曲部に引っかかり可能な内ケース側係止片が設けられている
ことを特徴とする請求項７に記載の収納ケース。
【請求項９】
前記収納物保持部に支持される収納物に被せられて相互に係合して前記収納物の脱落を防止する一対の扉部が、前記収納物保持部に一体的に接続されている
ことを特徴とする請求項７に記載の収納ケース。
【請求項１０】
前記複数の収納物保持部は、前記外ケースから出されると、前記外ケース側に折り返されて展開されるように構成されている
ことを特徴とする請求項７に記載の収納ケース。
【発明の詳細な説明】
【０００１】
【発明の属する技術分野】
本発明は、複数の収納物を収納可能な収納ケースに関し、特にディスク状記録媒体などの比較的薄肉の割に表面積の大きな収納物が相互に接触して傷などが付かないように収納することのできる収納ケースに関する。
【０００２】
【従来の技術】
従来より、環境保全などの観点から紙材を使用した収納ケースがある（例えば、特許文献１参照）。
【０００３】
【特許文献１】
特開２００２−２２５９６９号公報
【０００４】
この収納ケースは、収納物が載置されてこれを保持する内ケースと、この内ケースが摺動自在に収納される外ケースとから構成される。内ケース及び外ケースは、それぞれ１枚の紙材から組み立てられる。
【０００５】
【発明が解決しようとする課題】
上記構造の収納ケースにおいて、その内ケースに複数のディスク状記録媒体を収納する場合には相互に重ねて収納することになる。この場合、ディスク状記録媒体どうしが面接触することによる傷を防ぐため、不織布の袋などにディスク状記録媒体を１枚ずつ包んでから収納する必要がある。
【０００６】
しかし、ディスク状記録媒体を使用する際には一枚一枚袋から出さなければならず、また使用後に再び収納ケースに戻す際にも一枚一枚袋に入れなければならないというように取り扱いが面倒である。もちろん、収納ケースの他に別途ディスク状記録媒体を包むための不織布からなる収納袋も合わせて用意する必要がありコスト高となってしまうおそれがある。
【０００７】
また、各々のディスク状記録媒体の識別は表面の表示を見て行われるのが通常であるところ、複数枚のディスク状記録媒体を単に重ねて収納しただけでは、各々のディスク状記録媒体が密接した状態で収納されていることから、要求するディスク状記録媒体を選択するのに、他のものと即座に区別して選んで取り出すことが困難である。
【０００８】
本発明は上述の問題に鑑みてなされ、その目的とするところは、収納物を傷から保護する収納状態を保持しつつ、収納物の選択的な取り出しをしやすいようにした収納ケースを提供することにある。
【０００９】
【課題を解決するための手段】
以上の課題を解決するにあたり、本発明の収納ケースでは、外ケースから引出された状態で、相互に隣り合って展開可能な複数の収納物保持部を内ケースは有し、複数の収納物保持部は、そのうちの１つの収納物保持部に他の収納物保持部を重ねた状態で折り畳まれて外ケース内に収納されることを特徴としている。
【００１０】
ここで相互に隣り合って展開とは、複数の収納物保持部を同時に視認可能に収納物保持部どうしが相互に隣り合った状態で広げられることをいう。これにより、複数の収納物の中から容易に取り出したい収納物を認識しての選択的な取り出しが可能になる。
【００１１】
また、収納物保持部を複数設けることで、各収納物保持部に収納された収納物は、他の収納物保持部に収納された収納物との接触面積を低減あるいは接触を避けることができ、収納物どうしの接触に起因する収納物の損傷を防ぐことができる。
【００１２】
内ケース及び外ケースはそれぞれ紙材を折り畳んで得られる。ここで、紙材とは、主材が紙であることを要旨とし、植物繊維やその他の繊維から製造されるものに限らず、合成高分子物質を用いて製造した合成紙であってもよく、また新聞紙や古紙などをリサイクルして得られる再生紙を利用したもの、更には、段ボール、表面が不織布となっているもの、表面に静電気防止剤が塗布されているものであってもよい。
【００１３】
また、折られる箇所に罫線を形成すれば紙材の折り曲げを容易に行える。ここで、罫線とは、木材や金属などからなる押し刃を紙材に押し付けて形成される溝である。そして、罫線自体の幅を調整、あるいは互いに対向して形成されている罫線どうしの間隔を調整することによって、収納物保持部の内容積を調整でき、収納物にかかる圧迫力や、収納物の挿入・引出し易さなどを考慮した所望の保持力を有する収納物保持部の設計が可能となる。
【００１４】
また、罫線を、その延在方向に沿って部分的に破断する（例えば罫線の一部分に連続的なスリットを形成したり、あるいは罫線全体を破線と連続部との繰り返しで構成されるミシン目状とする）ことにより、罫線の反発力を抑えることができ、収納物への圧迫力を低減できる。
【００１５】
また、本発明の収納ケースでは、内ケースに、複数の収納物保持部のそれぞれの一側辺部が集まって配置される背板部を設け、その背板部を中心に複数の収納物保持部が見開きされることを特徴としている。
【００１６】
すなわち、この構成では、背板部を中心に本におけるページ送りのように収納物保持部が見開きされ、少ないスペースでもって同時に２つの収納物保持部を展開可能となる。
【００１７】
また、本発明の収納ケースでは、内ケースが挿入口から外ケース内に収納されると上記背板部が挿入口を塞ぐ構成としているので、外ケース内への異物の侵入や、収納物の挿入口からの飛び出しを防げる。
【００１８】
また、本発明の収納ケースでは、全ての収納物保持部を同時に展開可能に、複数の収納物保持部が相互に連接されていることを特徴としている。
【００１９】
これにより、全ての収納物を平面上に一度に並べて視認可能となり、所望の収納物の選択的な取り出しを迅速に行える。
【００２０】
また、本発明の収納ケースでは、連接されている各収納物保持部に支持される収納物に被せられて相互に係合して収納物の脱落を防止する一対の扉部が、収納物保持部に一体的に接続されていることを特徴としている。
これにより、収納物保持部からの収納物の落下による破損や紛失を防げる。
【００２１】
また、本発明の収納ケースでは、連接されている複数の収納物保持部は、外ケースから出された状態で、外ケース側に折り返されて展開されることを特徴としている。
【００２２】
これにより、外ケース側に折り返されて外ケースに重ねられた収納物保持部の分だけ、外ケースから遠ざかるように展開されるものに比べて展開スペースを小さくすることができる。
【００２３】
また、本発明の収納ケースでは、外ケースに内ケースの引出し方向と反対側に折り返された外ケース側係止片が設けられ、その外ケース側係止片が折り返されて形成された折曲部に引っかかり可能な内ケース側係止片が内ケースに設けられていることを特徴としている。
【００２４】
これにより、内ケースと外ケースのどちらか一方のみを引き出した状態で把持したとしても他方は落下してしまうことはなく、また互いに分離されてしまうことによるどちらか一方の紛失も防げる。
【００２５】
【発明の実施の形態】
以下、本発明の各実施の形態について図面を参照して説明する。なお、以下の実施の形態では、収納物としてはディスク状記録媒体を一例として挙げて説明する。
【００２６】
（第１の実施の形態）
図３は第１の実施の形態による収納ケース１の平面図を示し、図４はその裏面図を示す。収納ケース１は、収納物を保持する収納物保持部（以下、単に保持部という）を形成した内ケース２と、この内ケース２が摺動自在に収納される外ケース３とからなり、外ケース３の一側面に形成された挿入口４から内ケース２が外ケース３内に挿入されている。
【００２７】
図１は、同収納ケース１において外ケース３から内ケース２を引き出した状態を示す斜視図である。図５は内ケース２のみの斜視図を示す。
【００２８】
内ケース２及び外ケース３は共にそれぞれ所定の形状に打ち抜かれた紙材を折り畳んで得られる。
【００２９】
（外ケースブランク）
先ず、外ケース３について説明する。外ケース３は、図８に示す形状に紙材を打ち抜いて得られるブランク５（以下、外ケースブランクという）を折り畳んだ後、所定の箇所を貼り合わせて得られる。
【００３０】
外ケースブランク５は、主として、上面パネル６と、底面パネル７と、２つの側面パネル８ａ、８ｂと、背板パネル９と、外ケース側係止片（以下、単に係止片という）１０とが一体的に接続されて構成される。上面パネル６、底面パネル７、側面パネル８ａ、８ｂ、背板パネル９は矩形状を呈し、係止片１０は略台形状を呈している。
【００３１】
２つの側面パネル８ａ、８ｂは、上面パネル６の平行に対向する２辺にそれぞれ接続されている。上面パネル６の残りの２辺のうちの一方の辺に背板パネル９が接続され、更に背板パネル９には底面パネル７が接続されている。上面パネル６において、背板パネル９と対向する側には係止片１０が接続されている。
【００３２】
各々の側面パネル８ａ、８ｂには、外ケースブランク５を組み立てたとき、背板パネル９に重ね合わされる折込フラップ１１ａ、１１ｂと、底面パネル７に接着されるのりしろ１２ａ、１２ｂが接続されている。
【００３３】
図において、一点鎖線は谷折りされる罫線を示し、外ケースブランク５は図９に示すように、各罫線に沿って谷折りされる。なお、外ケースブランク５には示されていないが、二点鎖線は山折りされる罫線を示し、以下の説明中、これら線種の区別は共通して用いる。
【００３４】
底面パネル７の端縁には切欠き１３が形成されている。また、上面パネル６と係止片１０との境界部にはその境界に位置する罫線を挟むようにして円形孔１４が形成されている。切欠き１３と円形孔１４は、外ケースブランク５を組み立てたときに互いに向き合い、内ケース２を外ケース３から引き出すための指掛部を構成する。
【００３５】
なお、のりしろ１２ａに切欠き１５を形成しているのは、のりしろ１２ａが底面パネル７に接着されるときに、底面パネル７に形成された切欠き１３にのりしろ１２ａの一部がかからないようにするためである。
【００３６】
（外ケースブランクの組み立て）
以上のように形成された外ケースブランク５は、各罫線を図９に示すようにして折曲げ、更にのりしろ１２ａ、１２ｂを底面パネル７に接着させ、折込フラップ１１ａ、１１ｂを背板パネル９に重ね合わせることによって、一側面が開口して挿入口４が形成された扁平な箱体に組み立てられる（図３、４参照）。
【００３７】
係止片１０は、上面パネル６との境界の罫線に沿って上面パネル６側に折曲げられただけで、上面パネル６に対して接着はされていない。
【００３８】
（内ケースブランク）
次に、内ケース２について説明する。内ケース２は、図６に示す形状に紙材を打ち抜いて得られるブランク１６（以下、内ケースブランクという）を折り畳んだ後、所定の箇所を係合させて得られる。
【００３９】
内ケースブランク１６は、主として、第１収納物支持部１７と、第２収納物支持部１８と、第３収納物支持部１９と、第４収納物支持部２０と、張出し部２１ａ、２１ｂ、２２ａ、２２ｂ、２３ａ、２３ｂ、２４ａ、２４ｂと、背板部５２と、第１底板部２５と、第２底板部２６とが一体的に接続されて構成される。
【００４０】
第２〜第４収納物支持部１８〜２０及び第１底板部２５は、同形状の正方形を呈している。各辺の長さは、収納物であるディスク状記録媒体の直径よりわずかに大きくディスク状記録媒体を支持可能となっている。第１収納物支持部１７は、後述する差込片２８や側片２９が形成され複雑な形状を呈しているが、他の収納物支持部１８〜２０と同様、収納物であるディスク状記録媒体を支持可能な面積を有している。
【００４１】
第１収納物支持部１７と第２収納物支持部１８は、間に連結部３１を介在させて接続されている。第１収納物支持部１７と連結部３１はミシン目状の罫線３２を介して接続され、連結部３１と第２収納物支持部１８は同じくミシン目状の罫線３３を介して接続されている。両罫線３２、３３は共に図示の状態から谷折りされる。
【００４２】
連結部３１を挟むようにして、第１収納物支持部１７及び第２収納物支持部１８の側縁に罫線３４ａ、３４ｂが形成されている。罫線３４ａはミシン目状の罫線３２との交点から第１収納物支持部１７のおよそ半分の長さに及んで延在し、罫線３４ｂはミシン目状の罫線３３との交点から第２収納物支持部１８のおよそ半分の長さに及んで延在している。
【００４３】
罫線３４ａを介して第１収納物支持部１７の側縁には張出し部２１ａ、２２ａが接続され、罫線３４ｂを介して第２収納物支持部１８の側縁には張出し部２１ｂ、２２ｂが接続されている。
【００４４】
張出し部２１ａと２１ｂは、連結部３１との間に略矩形状の切欠き３５を挟んで対向する連結部３６によって一体的にされている。張出し部２２ａと２２ｂは、連結部３１との間に略矩形状の切欠き３７を挟んで対向する連結部３８によって一体的にされている。
【００４５】
第１収納物支持部１７において、第２収納物支持部１８と対向する側の端部３０の側縁には、張出し部２１ａ、２２ａの張出し方向と同方向に突き出た矩形状の側片２９が罫線３９を介して接続されている。更に、その側片２９と張出し部２１ａ、２２ａとの間には差込片２８が形成されている。
【００４６】
第２収納物支持部１８において、第１収納物支持部１７と対向する側には罫線４０を介して第３収納物支持部１９が接続されている。
【００４７】
第３収納物支持部１９と第４収納物支持部２０は、間に連結部４１を介在させて接続されている。第３収納物支持部１９と連結部４１はミシン目状の罫線４２を介して接続され、連結部４１と第４収納物支持部２０は同じくミシン目状の罫線４３を介して接続されている。両罫線４２、４３は共に図示の状態から谷折りされる。
【００４８】
連結部４１を挟むようにして、第３収納物支持部１９及び第４収納物支持部２０の側縁に罫線４４ａ、４４ｂが形成されている。罫線４４ａはミシン目状の罫線４２との交点から第３収納物支持部１９のおよそ半分の長さに及んで延在し、罫線４４ｂはミシン目状の罫線４３との交点から第４収納物支持部２０のおよそ半分の長さに及んで延在している。
【００４９】
罫線４４ａを介して第３収納物支持部１９の側縁には張出し部２３ａ、２４ａが接続され、罫線４４ｂを介して第４収納物支持部２０の側縁には張出し部２３ｂ、２４ｂが接続されている。
【００５０】
張出し部２３ａと２３ｂは、連結部４１との間に略矩形状の切欠き４５を挟んで対向する連結部４６によって一体的にされている。張出し部２４ａと２４ｂは、連結部４１との間に略矩形状の切欠き４７を挟んで対向する連結部４８によって一体的にされている。
【００５１】
第４収納物支持部２０において、第３収納物支持部１９と対向する側には罫線４９を介して第１底板部２５が接続され、この第１底壁部２５には罫線５０を介して背板部５２が接続され、この背板部５２には罫線５１を介して第２底板部２６が接続されている。
【００５２】
第２底板部２６において、背板部５２とは反対側に位置する端部側縁には、張出し部２１ａ、２１ｂ、２２ａ、２２ｂ、２３ａ、２３ｂ、２４ａ、２４ｂの張出し方向と同方向に突き出た矩形状の側片５３が罫線５４を介して接続されている。更に、その側片５３には、罫線５４と平行に対向する罫線５５を介して内ケース側係止片（以下、単に係止片という）５６ａ、５６ｂが接続されている。
【００５３】
係止片５６ａ、５６ｂのうち、一方の係止片５６ａは矩形状を呈し、他方の係止片５６ｂは、係止片５６ａと同形状のものを一部切欠いて先細りにした形状を呈している。
【００５４】
第２底板部２６において、側片５３寄りの箇所にスリット５７が形成されている。スリット５７は罫線５４と平行に延びその両端が第２底板部２６の内側に向いて傾斜している。更に、スリット５７の中央には、このスリット５７に接続するスリット５８が形成されている。
【００５５】
後述するように、内ケースブランク１６が組み立てられて、第２底板部２６裏面と第１収納物支持部１７裏面とが重ね合わされた際に、第１収納物支持部１７に形成された差込片２８が第２底板部２６に形成されたスリット５７に重なるようになっている。
【００５６】
また、第２底板部２６において、背板部５２寄りの箇所には指掛片５９が形成されている。指掛片５９は楕円状の切込みによってその一部分５９ａでのみ第２底板部２６と接続している。
【００５７】
（内ケースブランクの組み立て）
以上のように形成された内ケースブランク１６は、各罫線を折り曲げることにより組み立てられる。以下、その組み立てについて具体的に説明していく。
【００５８】
図７に示すように、各張出し部２１ａ、２１ｂ、２２ａ、２２ｂ、２３ａ、２３ｂ、２４ａ、２４ｂは、収納物支持部１７〜２０の表面側に折り曲げられ、収納物支持部１７〜２０の表面に重ね合わされる。その状態で、第１、第２収納物支持部１７、１８間の罫線３２、３３及び第３、第４収納物支持部１９、２０間の罫線４２、４３は谷折りされ、第２、第３収納物支持部１８、１９間の罫線４０は山折りされる。
【００５９】
このとき、張出し部２１ａ、２１ｂ、２２ａ、２２ｂ、２３ａ、２３ｂ、２４ａ、２４ｂが折り返されていることにより、張出し部間の連結部３６、３８、４６、４８は、ミシン目状罫線間の連結部３１、４１に重ねられる。連結部３６、３８、４６、４８それぞれの左右両側に位置する罫線も、ミシン目状罫線３２、３３、４２、４３の谷折りに合わせて谷折りされる。
【００６０】
そして、第２収納物支持部１８と第３収納物支持部１９の裏面どうしが対向した状態で、更に第４収納物支持部２０と第１底板部２５との境界の罫線４９が山折りされて、第１底板部２５裏面と第２底板部２６裏面が、それぞれ第４収納物支持部２０裏面と第１収納物支持部裏面１７に合わせられる（図５参照）。
【００６１】
最後に、第１収納物支持部１７に形成された差込片２８が第２底板部２６に形成されたスリット５７に差し込まれることによって図５に示す内ケース２が得られる。スリット５７の中央にスリット５７に接続して形成されたスリット５８（図６参照）によって、スリット５７は拡げやすくなり差込片２８の差し込みを容易に行える。
【００６２】
（内ケースへの収納物の収納）
第１収納物支持部１７と第１収納物支持部１７の相対向する左右の縁部に部分的に被さる張出し部２１ａ、２２ａとから第１保持部６０が構成される。同様に、第２保持部６１は、第２収納物支持部１８と第２収納物支持部１８の相対向する左右の縁部に部分的に被さる張出し部２１ｂ、２２ｂとから構成される。第３保持部６２は、第３収納物支持部１９と第３収納物支持部１９の相対向する左右の縁部に部分的に被さる張出し部２３ａ、２４ａとから構成される。第４保持部６３は、第４収納物支持部２０と第４収納物支持部２０の相対向する左右の縁部に部分的に被さる張出し部２３ｂ、２４ｂとから構成される。
【００６３】
罫線３２、３３、４２、４３は、それぞれ各保持部６０〜６３の一側辺部を形成し、これら一側辺部は、第１、第２底板部２５、２６間に形成された背板部５２に集まって配置されている。このため、各保持部６０〜６３は、背板部５２を中心に本のページのようにして開閉され見開きされる。
【００６４】
そして、収納物であるディスク状記録媒体７０は、図１に示すように、各収納物支持部１７〜２０と各張出し部２１ａ、２１ｂ、２２ａ、２２ｂ、２３ａ、２３ｂ、２４ａ、２４ｂとの間に径外方側の一部を挿入されると共に、一方の面側が各収納物支持部１７〜２０に支持されることによって各保持部６０〜６３に保持される。
【００６５】
各保持部６０〜６３が背板部５２を中心に閉じられても、各保持部６０〜６３に保持された収納物７０は、収納物７０の一方の面側を支持する収納物支持部１７〜２０と、他方の面側を部分的に覆う張出し部２１ａ、２１ｂ、２２ａ、２２ｂ、２３ａ、２３ｂ、２４ａ、２４ｂによって他の収納物７０との密接な接触を避けることができ、収納物相互の摩擦などで収納物７０に傷が付くことを防げる。これにより、不織布などで収納物７０を１枚１枚包む必要もなくなり、コストの低減や、使用の度に収納物７０を不織布に出し入れするといった面倒さも解消される。
【００６６】
（内ケースの外ケースへの収納）
内ケース２は、第１収納物支持部１７の端部３０（図５参照）の側から、外ケース３の一側面に形成された挿入口４に挿入されて外ケース３内に収納される。このとき、第１収納物支持部１７の端部３０に形成された側片２９と、この側片２９に重なっている第２底板部２６に形成された側片５３、及びその側片５３に接続された係止片５６ａ、５６ｂは、第１収納物支持部１７の内側に折り曲げられた状態で挿入口４に挿入される。
【００６７】
また、内ケース２の外ケース３への収納時には、図２に示すように、背板部５２を中心に各保持部６０〜６３を閉じてから（第２〜第４収納物支持部１８〜２０及び第１底板部２５を第１収納物支持部１７に重ねてから）、内ケース２を外ケース３奥側へ摺動させて外ケース３内に収納する。背板部５２は、図３、４に示すように、挿入口４を塞ぐので、収納物の外ケース３からの飛び出しや外ケース３内へのゴミやほこりの侵入を防げる。
【００６８】
（内ケースの外ケースからの引出し）
外ケース３から内ケース２を引き出すには、内ケース２の第２底板部２６に形成された指掛片５９（図４参照）を少し押し込んで例えば人差し指を掛けると共に、外ケース３に形成された孔１４（図３参照）から露出している内ケース２の第１底板部２５に例えば親指を掛けて内ケース２を把持し、内ケース２を外ケース３から引き出す。内ケース２の第２底板部２６の指掛部を完全にくり貫かれた開口とせず、内部に押し込み可能な指掛片５９としたことで内部へのゴミやほこりの侵入を防ぐことができる。
【００６９】
このとき、図１または図２に示すように、内ケース２の保持部６０〜６３の全領域が外ケース３から引き出された状態で、内ケース２の第２底板部２６に接続して形成された係止片５６ａ、５６ｂと、外ケース３の内方に折り返されている係止片１０とが係合して、内ケース２のそれ以上の引き出しができないようになっている。すなわち、内ケース２と外ケース３との分離を防いで内ケース２と外ケース３とを１ピースの製品として取り扱うことができる。これにより、一方のケースの脱落を防いで破損や紛失を防止することができる。
【００７０】
図１に示すように、内ケース２の保持部６０〜６３の全領域が外ケース３から引き出されると、保持部６０〜６３は相互に隣り合って展開可能となる。具体的には、第２保持部６１及び第３保持部６２を第４保持部６３側へ倒せば、第１保持部６０と第２保持部６１とが同時に見開き可能となり、それぞれの保持部６０、６１に保持された収納物を容易に選択的に取り出すことができる。
【００７１】
あるいは、第２保持部６１及び第３保持部６２を第１保持部６０側へ倒せば、第３保持部６２と第４保持部６３とが同時に見開き可能となり、それぞれの保持部６２、６３に保持された収納物を容易に選択的に取り出すことができる。
【００７２】
また、同時に見開きされるのは保持部６０〜６３のうち２つだけであるので省スペースで展開でき、全ての保持部６０〜６３分の展開スペースを必要としない。
【００７３】
なお、外ケース３には図３に示されるようにその表面に商品名やその他収納物に関する情報５５などが印刷され、図４に示されるように裏面には点字５６が印刷されている。もちろん、表面に点字を、裏面に商品名などを印刷してもよい。これらは、例えばスクリーン印刷法や発泡インキの使用などによって、印字が外ケース３の面上から盛り上がるようにしている。その他、暗闇で発光する蓄光インクや、香料を含有した香り付きインクなどを用いて印刷を施して商品としての付加価値を高めるようにしてもよい。
【００７４】
（第２の実施の形態）
図１２は第２の実施の形態による収納ケース８０の平面図を示し、図１３はその裏面図を示す。収納ケース８０は、収納物を保持する保持部を形成した内ケース８１と、この内ケース８１が摺動自在に収納される外ケース３’とからなり、外ケース３’の一側面に形成された挿入口４’から内ケース８１が外ケース３’内に挿入されている。
【００７５】
図１０は、同収納ケース８０において外ケース３’から内ケース８１を引き出した状態を示す平面図である。
【００７６】
内ケース８１及び外ケース３’は共にそれぞれ所定の形状に打ち抜かれた紙材を折り畳んで得られる。
【００７７】
（外ケースブランク）
先ず、外ケース３’について説明する。外ケース３’は、図１６に示す形状に紙材を打ち抜いて得られる外ケースブランク５’を折り畳んだ後、所定の箇所を貼り合わせて得られる。
【００７８】
外ケースブランク５’は、主として、上面パネル６’と、底面パネル７’と、２つの側面パネル８’ａ、８’ｂと、背板パネル９’と、外ケース側係止片（以下、単に係止片という）１０’とが一体的に接続されて構成される。上面パネル６’、底面パネル７’、側面パネル８’ａ、８’ｂ、背板パネル９’は矩形状を呈し、係止片１０’は略台形状を呈している。
【００７９】
２つの側面パネル８’ａ、８’ｂは、上面パネル６’の平行に対向する２辺にそれぞれ接続されている。上面パネル６’の残りの２辺のうちその一方の辺に背板パネル９’が接続され、更に背板パネル９’には底面パネル７’が接続されている。上面パネル６’において、背板パネル９’と対向する側には係止片１０’が接続されている。
【００８０】
各々の側面パネル８’ａ、８’ｂには、外ケースブランク５’を組み立てたとき、背板パネル９’に接着されるのりしろ１１’ａ、１１’ｂと、底面パネル７’に接着されるのりしろ１２’ａ、１２’ｂが接続されている。
【００８１】
底面パネル７’の端縁には切欠き１３’が形成されている。また、上面パネル６’と係止片１０’との境界部にはその境界に位置する罫線を挟むようにして円形孔１４’が形成されている。切欠き１３’と円形孔１４’は、外ケースブランク５’を組み立てたときに互いに向き合い、内ケース２’を外ケース３’から引き出すための指掛部を構成する。
【００８２】
なお、のりしろ１２’ａに切欠き１５’を形成しているのは、のりしろ１２’ａが底面パネル７’に接着されるときに、底面パネル７’に形成された切欠き１３’にのりしろ１２’ａの一部がかからないようにするためである。
【００８３】
（外ケースブランクの組み立て）
以上のように形成された外ケースブランク５’は、各罫線を図１７に示すようにして折曲げ、更にのりしろ１２’ａ、１２’ｂを底面パネル７’に接着させ、のりしろ１１’ａ、１１’ｂを背板パネル９７に接着させることによって、一側面が開口して挿入口４’が形成された扁平な箱体に組み立てられる（図１２、１３参照）。
【００８４】
係止片１０’は、上面パネル６’との境界の罫線に沿って上面パネル６’側に折曲げられただけで、上面パネル６’に対して接着はされていない。
【００８５】
（内ケースブランクの組み立て）
次に、内ケース８１について説明する。内ケース８１は、図１４に示す形状に紙材を打ち抜いて得られる内ケースブランク８２を折り畳んで得られる。
【００８６】
内ケースブランク８２は、主として、底板部８３と、第１収納物支持部８４と、第２収納物支持部８５と、第３収納物支持部８６と、第４収納物支持部８７と、これら収納物支持部８４〜８７それぞれに１対ずつ設けられる扉部８８ａ、８８ｂ、８９ａ、８９ｂ、９０ａ、９０ｂ、９１ａ、９１ｂとが一体的に接続されて構成される。
【００８７】
第１〜第４収納物支持部８４〜８７は、内ケース８１の外ケース３’からの引出し方向に延在して連結されており、扉部８８ａ、８８ｂ、８９ａ、８９ｂ、９０ａ、９０ｂ、９１ａ、９１ｂはその延在方向と直交する方向に開閉自在に設けられている。以下、具体的に説明する。
【００８８】
第１収納物支持部８４と第２収納物支持部８５は、間に連結部９２を介在させて接続されている。第１収納物支持部８４と連結部９２は罫線９３を介して接続され、連結部９２と第２収納物支持部８５は罫線９４を介して接続されている。
【００８９】
第２収納物支持部８５において、第１収納物支持部８４と対向する側には罫線９５を介して第３収納物支持部８６が接続されている。
【００９０】
第３収納物支持部８６において、第２収納物支持部８５と対向する側には連結部９６を介在させて第４収納物支持部８７が接続されている。第３収納物支持部８６と連結部９６は罫線９７を介して接続され、連結部９６と第４収納物支持部８７は罫線９８を介して接続されている。
【００９１】
第１収納物支持部８４には、相対向する１対の扉部８８ａ、８８ｂが接続されている。各扉部８８ａ、８８ｂは、第１〜第４収納物支持部８４〜８７の連結方向に直交する方向に張り出している。これら第１収納物支持部８４と扉部８８ａ、８８ｂとから第１の保持部１３１が構成される。
【００９２】
扉部８８ａと第１収納物支持部８４との境界には、テーパ状切込み線９７ａと、円弧状切込み線９８ａと、この円弧状切込み線９８ａの両脇に位置する２つの連結部９９ａが形成されている。連結部９９ａは谷折りされる罫線を介して第１収納物支持部８４及び扉部８８ａと接続されている。
【００９３】
他方の扉部８８ｂについても同様に、第１収納物支持部８４との境界には、テーパ状切込み線９７ｂと、円弧状切込み線９８ｂと、この円弧状切込み線９８ｂの両脇に位置する２つの連結部９９ｂが形成されている。連結部９９ｂは谷折りされる罫線を介して第１収納物支持部８４及び扉部８８ｂと接続されている。
【００９４】
扉部８８ａにおいて、円弧状切込み線９８ａと対向する縁部中央には係合部１０１ａが形成されている。係合部１０１ａは、具体的には扉部８８ａの張出し方向に突き出た矩形状の片である。
【００９５】
他方の扉部８８ｂにおいても、円弧状切込み線９８ｂと対向する縁部中央に係合部１０１ｂが形成されている。係合部１０１ｂは、具体的には円弧状切込み線９８ｂ側にくぼんだ凹形状の切欠きである。
【００９６】
両係合部１０１ａ、１０１ｂは、後述するように両扉部８８ａ、８８ｂが互いに内側に折り曲げられた際に、相互に係合し合って両扉部８８ａ、８８ｂが閉じた状態を維持するようにする。
【００９７】
両円弧状切込み線９８ａ、９８ｂをつないで得られる円の直径は、収納物であるディスク状記録媒体の直径と同じかわずかに大きい。
【００９８】
第１収納物支持部８４と同様に、第２収納物支持部８５にも、相対向する１対の扉部８９ａ、８９ｂが接続されている。各扉部８９ａ、８９ｂは、第１〜第４収納物支持部８４〜８７の連結方向に直交する方向に張り出している。これら第２収納物支持部８５と扉部８９ａ、８９ｂとから第２の保持部１３２が構成される。
【００９９】
扉部８９ａと第２収納物支持部８５との境界には、円弧状切込み線１０５ａと、この円弧状切込み線１０５ａの両脇に位置する２つの連結部１０６ａが形成されている。連結部１０６ａは谷折りされる罫線を介して第２収納物支持部８５及び扉部８９ａと接続されている。
【０１００】
他方の扉部８９ｂについても同様に、第２収納物支持部８５との境界には、円弧状切込み線１０５ｂと、この円弧状切込み線１０５ｂの両脇に位置する２つの連結部１０６ｂが形成されている。連結部１０６ｂは谷折りされる罫線を介して第２収納物支持部８５及び扉部８９ｂと接続されている。
【０１０１】
扉部８９ａにおいて、円弧状切込み線１０５ａと対向する縁部中央には係合部１０２ａが形成されている。係合部１０２ａは、具体的には扉部８９ａの張出し方向に突き出た矩形状の片である。
【０１０２】
他方の扉部８９ｂにおいても、円弧状切込み線１０５ｂと対向する縁部中央に係合部１０２ｂが形成されている。係合部１０２ｂは、具体的には円弧状切込み線１０５ｂ側にくぼんだ凹形状の切欠きである。
【０１０３】
両係合部１０２ａ、１０２ｂは、後述するように両扉部８９ａ、８９ｂが互いに内側に折り曲げられた際に、相互に係合し合って両扉部８９ａ、８９ｂが閉じた状態を維持するようにする。
【０１０４】
両円弧状切込み線１０５ａ、１０５ｂをつないで得られる円の直径は、収納物であるディスク状記録媒体の直径と同じかわずかに大きい。
【０１０５】
扉部８８ａと扉部８９ａとの間には、連結部９２の幅分だけの間隙があいている。同様に、扉部８８ｂと扉部８９ｂとの間には、連結部９２の幅分だけの間隙があいている。
【０１０６】
第３収納物支持部８６にも、相対向する１対の扉部９０ａ、９０ｂが接続されている。各扉部９０ａ、９０ｂは、第１〜第４収納物支持部８４〜８７の連結方向に直交する方向に張り出している。これら第３収納物支持部８６と扉部９０ａ、９０ｂとから第３の保持部１３３が構成される。
【０１０７】
扉部９０ａと第３収納物支持部８６との境界には、円弧状切込み線１０７ａと、この円弧状切込み線１０７ａの両脇に位置する２つの連結部１０８ａが形成されている。連結部１０８ａは谷折りされる罫線を介して第３収納物支持部８６及び扉部９０ａと接続されている。
【０１０８】
他方の扉部９０ｂについても同様に、第３収納物支持部８６との境界には、円弧状切込み線１０７ｂと、この円弧状切込み線１０７ｂの両脇に位置する２つの連結部１０８ｂが形成されている。連結部１０８ｂは谷折りされる罫線を介して第３収納物支持部８６及び扉部９０ｂと接続されている。
【０１０９】
扉部９０ａにおいて、円弧状切込み線１０７ａと対向する縁部中央には係合部１０３ａが形成されている。係合部１０３ａは、具体的には扉部９０ａの張出し方向に突き出た矩形状の片である。
【０１１０】
他方の扉部９０ｂにおいても、円弧状切込み線１０７ｂと対向する縁部中央に係合部１０３ｂが形成されている。係合部１０３ｂは、具体的には円弧状切込み線１０７ｂ側にくぼんだ凹形状の切欠きである。
【０１１１】
両係合部１０３ａ、１０３ｂは、後述するように両扉部９０ａ、９０ｂが互いに内側に折り曲げられた際に、相互に係合し合って両扉部９０ａ、９０ｂが閉じた状態を維持するようにする。
【０１１２】
両円弧状切込み線１０７ａ、１０７ｂをつないで得られる円の直径は、収納物であるディスク状記録媒体の直径と同じかわずかに大きい。
【０１１３】
第４収納物支持部８７にも、相対向する１対の扉部９１ａ、９１ｂが接続されている。各扉部９１ａ、９１ｂは、第１〜第４収納物支持部８４〜８７の連結方向に直交する方向に張り出している。これら第４収納物支持部８７と扉部９１ａ、９１ｂとから第４の保持部１３４が構成される。
【０１１４】
扉部９１ａと第４収納物支持部８７との境界には、円弧状切込み線１０９ａと、この円弧状切込み線１０９ａの両脇に位置する２つの連結部１１０ａが形成されている。連結部１１０ａは谷折りされる罫線を介して第４収納物支持部８７及び扉部９１ａと接続されている。
【０１１５】
他方の扉部９１ｂについても同様に、第４収納物支持部８７との境界には、円弧状切込み線１０９ｂと、この円弧状切込み線１０９ｂの両脇に位置する２つの連結部１１０ｂが形成されている。連結部１１０ｂは谷折りされる罫線を介して第４収納物支持部８７及び扉部９１ｂと接続されている。
【０１１６】
扉部９１ａにおいて、円弧状切込み線１０９ａと対向する縁部中央には係合部１０４ａが形成されている。係合部１０４ａは、具体的には扉部９１ａの張出し方向に突き出た矩形状の片である。
【０１１７】
他方の扉部９１ｂにおいても、円弧状切込み線１０９ｂと対向する縁部中央に係合部１０４ｂが形成されている。係合部１０４ｂは、具体的には円弧状切込み線１０９ｂ側にくぼんだ凹形状の切欠きである。
【０１１８】
両係合部１０４ａ、１０４ｂは、後述するように両扉部９１ａ、９１ｂが互いに内側に折り曲げられた際に、相互に係合し合って両扉部９１ａ、９１ｂが閉じた状態を維持するようにする。
【０１１９】
両円弧状切込み線１０９ａ、１０９ｂをつないで得られる円の直径は、収納物であるディスク状記録媒体の直径と同じかわずかに大きい。
【０１２０】
扉部９０ａと扉部９１ａとの間には、連結部９６の幅分だけの間隙があいている。同様に、扉部９０ｂと扉部９０ｂとの間には、連結部９６の幅分だけの間隙があいている。
【０１２１】
第１収納物支持部８４において、第２収納物支持部８５と対向する側には、引出し側端板部１１２を介在させて底板部８３が接続されている。第１収納物支持部８４と引出し側端板部１１２は罫線１１３を介して接続され、引出し側端板部１１２と底板部８３は罫線１１４を介して接続されている。
【０１２２】
底板部８３において、引出し側端板部１１２と対向する側には、挿入側端板部１１５を介在させて矩形状の主係止片１１６が接続されている。底板部８３と挿入側端板部１１５は罫線１１７を介して接続され、挿入側端板部１１５と主係止片１１６は罫線１１８を介して接続されている。
【０１２３】
主係止片１１６の短辺側縁部には、罫線１１９を介して矩形状の補助係止片１２０が接続されている。主係止片１１６及び補助係止片１２０は、外ケース３’に設けられた係止片１０’に引っかかり可能な内ケース側係止片を構成する。
【０１２４】
底板部８３において、引出し側端板部１１２寄りの箇所には指掛片１２１が形成されている。指掛片１２１は楕円状の切込みによってその一部分１２１ａでのみ底板部８３と接続している。
【０１２５】
（内ケースへの収納物の収納）
次に、図１５を参照して、各保持部１３１〜１３４への収納物の収納について説明する。収納物であるディスク状記録媒体７０は、各収納物支持部８４〜８７に載置される。そして、扉部８８ａ、８８ｂ、８９ａ、８９ｂ、９０ａ、９０ｂ、９１ａ、９１ｂが、内側に折り返されてディスク状記録媒体７０に被さると共に、対となる扉部どうしが互いの係合部１０１ａ〜１０４ａと、係合部１０１ｂ〜１０４ｂを係合させる。
【０１２６】
図示では、扉部８８ａ、８９ａ、９０ａ、９１ａに形成された凸形状の係合部１０１ａ〜１０４ａが、扉部８８ｂ、８９ｂ、９０ｂ、９１ｂに形成された凹形状の係合部１０１ｂ〜１０４ｂに対して上から係合している状態を示す。
【０１２７】
両係合部１０１ａ〜１０４ａ、１０１ｂ〜１０４ｂの係合は、例えば人の手によりその係合を解除しない限り安定して維持される。よって、収納物７０の保持部１３１〜１３４からの脱落が防止され、収納物７０を誤って落としてしまうことによる紛失や破損を防げる。
【０１２８】
（内ケースの外ケースへの収納）
内ケース８１は、主係止片１１６の側から、外ケース３’の一側面に形成された挿入口４’に挿入されて外ケース３’内に収納される。このとき、罫線１１７、１１８、１１９が図１４の状態から谷折りされることで、図１５に示すように主係止片１１６及び補助係止片１２０は内側に折り曲げられた状態で挿入口４’に挿入される。
【０１２９】
また、内ケース８１の外ケース３’への収納時には、罫線１１３、１１４が谷折りされ、罫線９３、９４（図１４参照）が谷折りされ、罫線９５が山折りされ、罫線９７、９８（図１４参照）が谷折りされることで、図１１に示すように、底板部８３に収納物支持部８４（保持部１３１）が重ねられ、この収納物支持部８４（保持部１３１）に、他の収納物支持部８５（保持部１３２）、収納物支持部８６（保持部１３３）、収納物支持部８７（保持部１３４）が重ねられる。
【０１３０】
その状態で、内ケース８１を外ケース３’奥側へ摺動させて外ケース３’内に収納する。内ケース８１が収納された状態では、引出し側端板部１１２が挿入口４’を塞ぐので、収納物の外ケース３’からの飛び出しや外ケース３’内へのゴミやほこりの侵入を防げる。
【０１３１】
各保持部１３１〜１３４に保持された収納物は、一方の面側を支持する収納物支持部８４〜８７と、他方の面側に被さる扉部８８ａ、８８ｂ、８９ａ、８９ｂ、９０ａ、９０ｂ、９１ａ、９１ｂによって他の収納物との接触を避けることができ、収納物相互の摩擦などで収納物に傷が付くことを防げる。これにより、不織布などで収納物を１枚１枚包む必要もなくなり、コストの低減や、使用の度に収納物を不織布に出し入れするといった面倒さも解消される。
【０１３２】
（内ケースの外ケースからの引出し）
外ケース３’から内ケース８１を引き出すには、内ケース８１の底板部８３に形成された指掛片１２１（図１３参照）を少し押し込んで例えば人差し指を掛けると共に、外ケース３’に形成された切欠き１４’（図１２参照）から露出している内ケース８１の第４収納物支持部８７に例えば親指を掛けて内ケース８１を把持し、内ケース８１を外ケース３’から引き出す。内ケース８１の底板部８３への指掛部を完全にくり貫かれた開口とせず、内部に押し込み可能な指掛片１２１としたことで内部へのゴミやほこりの侵入を防ぐことができる。
【０１３３】
このとき、図１１に示すように、内ケース８１の保持部１３１〜１３４の全領域が外ケース３’から引き出された状態で、内ケース８１の挿入側端板部１１５に接続して形成された主係止片１１６及びこの主係止片１１６に接続して形成された補助係止片１２０と、外ケース３’の内方に折り返されている係止片１０’とが係合して、内ケース８１のそれ以上の引き出しができないようになっている。すなわち、内ケース８１と外ケース３’との分離を防いで内ケース８１と外ケース３’とを１ピースの製品として取り扱うことができる。これにより、一方のケースの脱落を防いで破損や紛失を防止することができる。
【０１３４】
内ケース８１の保持部１３１〜１３４の全領域が外ケース３’から引き出されると、各保持部１３１〜１３４を相互に隣り合って平面展開可能となる。すなわち、図１０に示すように、全ての保持部１３１〜１３４を同時に平面的に視認可能に展開することができ、それぞれの保持部１３１〜１３４に保持された収納物７０を容易に選択的に取り出すことができる。本実施の形態では、各保持部１３１〜１３４は内ケース８１の引出し方向に向けて展開される。
【０１３５】
なお、扉部８８ａ、８８ｂ、８９ａ、８９ｂ、９０ａ、９０ｂ、９１ａ、９１ｂに、収納物を識別する情報などを印しておけば、各保持部１３１〜１３４に保持された収納物７０の識別力を高めることができ、取り出すべき収納物７０の選択が容易になる。
【０１３６】
また、外ケース３’には図１２に示されるようにその表面に商品名やその他収納物に関する情報５５などが印刷され、図１３に示されるように裏面には点字５６が印刷されている。もちろん、表面に点字を、裏面に商品名などを印刷してもよい。これらは、例えばスクリーン印刷法や発泡インキの使用などによって、印字が外ケース３’の面上から盛り上がるようにしている。その他、暗闇で発光する蓄光インクや、香料を含有した香り付きインクなどを用いて印刷を施して商品としての付加価値を高めるようにしてもよい。
【０１３７】
（第３の実施の形態）
次に、本発明の第３の実施の形態について説明する。なお、上記第２の実施の形態と同じ構成部分には同一の符号を付しその詳細な説明は省略する。
【０１３８】
図１８は、第３の実施の形態による収納ケース１４０において外ケース３’から内ケース１４１を引き出した状態を示す平面図である。収納ケース１４０は、収納物を保持する保持部を形成した内ケース１４１と、この内ケース１４１が摺動自在に収納される外ケース３’とからなり、外ケース３’の一側面に形成された挿入口４’から内ケース１４１が外ケース３’内に挿入されている。
【０１３９】
外ケース３’は第２の実施の形態と同じ構成であるのでその説明は省略し、内ケース１４１について説明する。内ケース１４１は、図２０に示す形状に紙材を打ち抜いて得られる内ケースブランク１４２を折り畳んで得られる。
【０１４０】
（内ケースブランク）
内ケースブランク１４２は、主として、底板部１４５と、第１収納物支持部８４’と、第２収納物支持部８５’と、第３収納物支持部８６’と、第４収納物支持部８７’と、これら収納物支持部８４’〜８７’それぞれに１対ずつ設けられる扉部８８’ａ、８８’ｂ、８９’ａ、８９’ｂ、９０’ａ、９０’ｂ、９１’ａ、９１’ｂとが一体的に接続されて構成される。
【０１４１】
扉部８８’ａ、８８’ｂ、８９’ａ、８９’ｂ、９０’ａ、９０’ｂ、９１’ａ、９１’ｂは第１〜第４収納物支持部８４’〜８７’の延在方向と直交する方向に開閉自在に設けられている。以下、具体的に説明する。
【０１４２】
第１収納物支持部８４’と第２収納物支持部８５’は、間に連結部９２’を介在させて接続されている。第１収納物支持部８４’と連結部９２’は罫線９３’を介して接続され、連結部９２’と第２収納物支持部８５’は罫線９４’を介して接続されている。
【０１４３】
第２収納物支持部８５’において、第１収納物支持部８４’と対向する側には罫線９５’を介して第３収納物支持部８６’が接続されている。
【０１４４】
第３収納物支持部８６’において、第２収納物支持部８５’と対向する側には連結部９６’を介在させて第４収納物支持部８７’が接続されている。第３収納物支持部８６’と連結部９６’は罫線９７’を介して接続され、連結部９６’と第４収納物支持部８７’は罫線９８’を介して接続されている。
【０１４５】
第１収納物支持部８４’には、相対向する１対の扉部８８’ａ、８８’ｂが接続されている。各扉部８８’ａ、８８’ｂは、第１〜第４収納物支持部８４’〜８７’の連結方向に直交する方向に張り出している。これら第１収納物支持部８４’と扉部８８’ａ、８８’ｂとから第１の保持部１３１’が構成される。
【０１４６】
扉部８８’ａと第１収納物支持部８４’との境界には、円弧状切込み線９８’ａと、この円弧状切込み線９８’ａの両脇に位置する２つの連結部９９’ａが形成されている。連結部９９’ａは谷折りされる罫線を介して第１収納物支持部８４’及び扉部８８’ａと接続されている。
【０１４７】
他方の扉部８８’ｂについても同様に、第１収納物支持部８４’との境界には、円弧状切込み線９８’ｂと、この円弧状切込み線９８’ｂの両脇に位置する２つの連結部９９ｂ’が形成されている。連結部９９’ｂは谷折りされる罫線を介して第１収納物支持部８４’及び扉部８８’ｂと接続されている。
【０１４８】
扉部８８’ａにおいて、円弧状切込み線９８’ａと対向する縁部中央には係合部１０１’ａが形成されている。係合部１０１’ａは、具体的には扉部８８’ａの張出し方向に突き出た矩形状の片である。
【０１４９】
他方の扉部８８’ｂにおいても、円弧状切込み線９８’ｂと対向する縁部中央に係合部１０１’ｂが形成されている。係合部１０１’ｂは、具体的には円弧状切込み線９８’ｂ側にくぼんだ凹形状の切欠きである。
【０１５０】
両係合部１０１’ａ、１０１’ｂは、後述するように両扉部８８’ａ、８８’ｂが互いに内側に折り曲げられた際に、相互に係合し合って両扉部８８’ａ、８８’ｂが閉じた状態を維持するようにする。
【０１５１】
両円弧状切込み線９８’ａ、９８’ｂをつないで得られる円の直径は、収納物であるディスク状記録媒体の直径と同じかわずかに大きい。
【０１５２】
第１収納物支持部８４’と同様に、第２収納物支持部８５’にも、相対向する１対の扉部８９’ａ、８９’ｂが接続されている。各扉部８９’ａ、８９’ｂは、第１〜第４収納物支持部８４’〜８７’の連結方向に直交する方向に張り出している。これら第２収納物支持部８５’と扉部８９’ａ、８９’ｂとから第２の保持部１３２’が構成される。
【０１５３】
扉部８９’ａと第２収納物支持部８５’との境界には、円弧状切込み線１０５’ａと、この円弧状切込み線１０５’ａの両脇に位置する２つの連結部１０６’ａが形成されている。連結部１０６’ａは谷折りされる罫線を介して第２収納物支持部８５’及び扉部８９’ａと接続されている。
【０１５４】
他方の扉部８９’ｂについても同様に、第２収納物支持部８５’との境界には、円弧状切込み線１０５’ｂと、この円弧状切込み線１０５’ｂの両脇に位置する２つの連結部１０６’ｂが形成されている。連結部１０６’ｂは谷折りされる罫線を介して第２収納物支持部８５’及び扉部８９’ｂと接続されている。
【０１５５】
扉部８９’ａにおいて、円弧状切込み線１０５’ａと対向する縁部中央には係合部１０２’ａが形成されている。係合部１０２’ａは、具体的には扉部８９’ａの張出し方向に突き出た矩形状の片である。
【０１５６】
他方の扉部８９’ｂにおいても、円弧状切込み線１０５’ｂと対向する縁部中央に係合部１０２’ｂが形成されている。係合部１０２’ｂは、具体的には円弧状切込み線１０５’ｂ側にくぼんだ凹形状の切欠きである。
【０１５７】
両係合部１０２’ａ、１０２ｂ’は、後述するように両扉部８９’ａ、８９’ｂが互いに内側に折り曲げられた際に、相互に係合し合って両扉部８９’ａ、８９’ｂが閉じた状態を維持するようにする。
【０１５８】
両円弧状切込み線１０５’ａ、１０５’ｂをつないで得られる円の直径は、収納物であるディスク状記録媒体の直径と同じかわずかに大きい。
【０１５９】
扉部８８’ａと扉部８９’ａとの間には、連結部９２’の幅分だけの間隙があいている。同様に、扉部８８’ｂと扉部８９’ｂとの間には、連結部９２’の幅分だけの間隙があいている。
【０１６０】
第３収納物支持部８６’にも、相対向する１対の扉部９０’ａ、９０’ｂが接続されている。各扉部９０’ａ、９０’ｂは、第１〜第４収納物支持部８４’〜８７’の連結方向に直交する方向に張り出している。これら第３収納物支持部８６’と扉部９０’ａ、９０’ｂとから第３の保持部１３３’が構成される。
【０１６１】
扉部９０’ａと第３収納物支持部８６’との境界には、円弧状切込み線１０７’ａと、この円弧状切込み線１０７’ａの両脇に位置する２つの連結部１０８’ａが形成されている。連結部１０８’ａは谷折りされる罫線を介して第３収納物支持部８６’及び扉部９０’ａと接続されている。
【０１６２】
他方の扉部９０’ｂについても同様に、第３収納物支持部８６’との境界には、円弧状切込み線１０７’ｂと、この円弧状切込み線１０７’ｂの両脇に位置する２つの連結部１０８’ｂが形成されている。連結部１０８’ｂは谷折りされる罫線を介して第３収納物支持部８６’及び扉部９０’ｂと接続されている。
【０１６３】
扉部９０’ａにおいて、円弧状切込み線１０７’ａと対向する縁部中央には係合部１０３’ａが形成されている。係合部１０３’ａは、具体的には扉部９０’ａの張出し方向に突き出た矩形状の片である。
【０１６４】
他方の扉部９０’ｂにおいても、円弧状切込み線１０７’ｂと対向する縁部中央に係合部１０３’ｂが形成されている。係合部１０３’ｂは、具体的には円弧状切込み線１０７’ｂ側にくぼんだ凹形状の切欠きである。
【０１６５】
両係合部１０３’ａ、１０３’ｂは、後述するように両扉部９０’ａ、９０’ｂが互いに内側に折り曲げられた際に、相互に係合し合って両扉部９０’ａ、９０’ｂが閉じた状態を維持するようにする。
【０１６６】
両円弧状切込み線１０７’ａ、１０７’ｂをつないで得られる円の直径は、収納物であるディスク状記録媒体の直径と同じかわずかに大きい。
【０１６７】
第４収納物支持部８７’にも、相対向する１対の扉部９１’ａ、９１’ｂが接続されている。各扉部９１’ａ、９１’ｂは、第１〜第４収納物支持部８４’〜８７’の連結方向に直交する方向に張り出している。これら第４収納物支持部８７’と扉部９１’ａ、９１’ｂとから第４の保持部１３４’が構成される。
【０１６８】
扉部９１’ａと第４収納物支持部８７’との境界には、円弧状切込み線１０９’ａと、この円弧状切込み線１０９’ａの両脇に位置する２つの連結部１１０’ａが形成されている。連結部１１０’ａは谷折りされる罫線を介して第４収納物支持部８７’及び扉部９１’ａと接続されている。
【０１６９】
他方の扉部９１’ｂについても同様に、第４収納物支持部８７’との境界には、円弧状切込み線１０９’ｂと、この円弧状切込み線１０９’ｂの両脇に位置する２つの連結部１１０’ｂが形成されている。連結部１１０’ｂは谷折りされる罫線を介して第４収納物支持部８７’及び扉部９１’ｂと接続されている。
【０１７０】
扉部９１’ａにおいて、円弧状切込み線１０９’ａと対向する縁部中央には係合部１０４’ａが形成されている。係合部１０４’ａは、具体的には扉部９１’ａの張出し方向に突き出た矩形状の片である。
【０１７１】
他方の扉部９１’ｂにおいても、円弧状切込み線１０９’ｂと対向する縁部中央に係合部１０４’ｂが形成されている。係合部１０４’ｂは、具体的には円弧状切込み線１０９’ｂ側にくぼんだ凹形状の切欠きである。
【０１７２】
両係合部１０４’ａ、１０４’ｂは、後述するように両扉部９１’ａ、９１’ｂが互いに内側に折り曲げられた際に、相互に係合し合って両扉部９１’ａ、９１’ｂが閉じた状態を維持するようにする。
【０１７３】
両円弧状切込み線１０９’ａ、１０９’ｂをつないで得られる円の直径は、収納物であるディスク状記録媒体の直径と同じかわずかに大きい。
【０１７４】
扉部９０’ａと扉部９１’ａとの間には、連結部９６’の幅分だけの間隙があいている。同様に、扉部９０’ｂと扉部９１’ｂとの間には、連結部９６’の幅分だけの間隙があいている。
【０１７５】
第４収納物支持部８７’において、第３収納物支持部８６’と対向する側には、罫線１４３を介して連結部１４４が接続されている。その連結部１４４には罫線１４７を介して矩形状の内ケース側係止片（以下、単に係止片という）１４６が接続されている。
【０１７６】
また、連結部１４４には、係止片１４６の両脇に位置する挿入側端板部１４８を介して底板部１４５が接続されている。係止片１４６は、コ字状の切込み線１５３によって挿入側端板部１４８及び底板部１４５から切り離されており、罫線１４７でもって連結部１４４に接続されている。
【０１７７】
底板部１４５において、係止片１４６と対向する側には罫線１５１を介して蓋部１４９が接続され、この蓋部１４９には罫線１５２を介して覆い部１５０が接続されている。
【０１７８】
また、底板部１４５において、蓋部１４９寄りの箇所には指掛片１２１が形成されている。指掛片１２１は楕円状の切込みによってその一部分１２１ａでのみ底板部１４５と接続している。
【０１７９】
（内ケースへの収納物の収納）
次に、図２１を参照して、各保持部１３１’〜１３４’への収納物の保持について説明する。収納物であるディスク状記録媒体７０は、各収納物支持部８４’〜８７’に載置される。そして、扉部８８’ａ、８８’ｂ、８９’ａ、８９’ｂ、９０’ａ、９０’ｂ、９１’ａ、９１’ｂが、内側に折り返されてディスク状記録媒体７０に被さると共に、対となる扉部どうしが互いの係合部１０１’ａ〜１０４’ａと、係合部１０１’ｂ〜１０４’ｂを係合させる。
【０１８０】
図示では、扉部８８’ａ、８９’ａ、９０’ａ、９１’ａに形成された凸形状の係合部１０１’ａ〜１０４’ａが、扉部８８’ｂ、８９’ｂ、９０’ｂ、９１’ｂに形成された凹形状の係合部１０１’ｂ〜１０４’ｂに対して上から係合している状態を示す。
【０１８１】
両係合部１０１’ａ〜１０４’ａ、１０１’ｂ〜１０４’ｂの係合は、例えば人の手によりその係合を解除しない限り安定して維持される。よって、収納物７０の保持部１３１’〜１３４’からの脱落が防止され、収納物７０を誤って落としてしまうことによる紛失や破損を防げる。
【０１８２】
（内ケースの外ケースへの収納）
罫線１４７が折り曲げられて係止片１４６が図２１に示すように連結部１４４裏側に折り返され、罫線９３’、９４’（図２０参照）が谷折りされ、罫線９５’が山折りされ、罫線９７’、９８’（図２０参照）が谷折りされ、挿入側端板部１４８を挟んで対向する罫線が谷折りされることで、図１９に示すように、底板部１４５に収納物支持部８４’（保持部１３１’）が重ねられ、この収納物支持部８４’（保持部１３１’）に、他の収納物支持部８５’（保持部１３２’）、収納物支持部８６’（保持部１３３’）、収納物支持部８７’（保持部１３４’）が重ねられた状態で、内ケース１４１を外ケース３’奥側へ摺動させて外ケース３’内に収納させる。
【０１８３】
内ケース１４１が外ケース３’内に収納された状態では、蓋部１４９を挟んで対向する罫線１５１、１５２が内側に折り曲げられて、覆い部１５０が外ケース３’内に差し込まれる。これにより、蓋部１４９が挿入口４’を塞ぐので、収納物の外ケース３’からの飛び出しや外ケース３’内へのゴミやほこりの侵入を防げる。
【０１８４】
各保持部１３１’〜１３４’に保持された収納物は、一方の面側を支持する収納物支持部８４’〜８７’と、他方の面側に被さる扉部８８’ａ、８８’ｂ、８９’ａ、８９’ｂ、９０’ａ、９０’ｂ、９１’ａ、９１’ｂによって他の収納物との接触を避けることができ、収納物相互の摩擦などで収納物に傷が付くことを防げる。これにより、不織布などで収納物を１枚１枚包む必要もなくなり、コストの低減や、使用の度に収納物を不織布に出し入れするといった面倒さも解消される。
【０１８５】
（内ケースの外ケースからの引出し）
外ケース３’から内ケース１４１を引き出すには、上記第２の実施の形態と同様に、内ケース１４１の底板部１４５に形成された指掛片１２１を少し押し込んで例えば人差し指を掛けると共に、外ケース３’に形成された切欠き１４’から露出している内ケース１４１の覆い部１５０に例えば親指を掛けて内ケース１４１を把持し、内ケース１４１を外ケース３’から引き出す。内ケース１４１の底板部１４５への指掛部を完全にくり貫かれた開口とせず、内部に押し込み可能な指掛片１２１としたことで内部へのゴミやほこりの侵入を防ぐことができる。
【０１８６】
このとき、図１９に示すように、内ケース１４１の保持部１３１’〜１３４’の全領域が外ケース３’から引き出された状態で、内ケース１４１の連結部１４４側に折り返されている係止片１４６と、外ケース３’の内方に折り返されている係止片１０’とが係合して、内ケース１４１のそれ以上の引き出しができないようになっている。すなわち、内ケース１４１と外ケース３’との分離を防いで内ケース１４１と外ケース３’とを１ピースの製品として取り扱うことができる。これにより、一方ケースの脱落を防いで破損や紛失を防止することができる。
【０１８７】
内ケース１４１の保持部１３１’〜１３４’の全領域が外ケース３’から引き出されると、各保持部１３１’〜１３４’を相互に隣り合って平面展開可能となる。すなわち、図１９の状態から、収納物支持部８７’と連結部１４４との境界の罫線１４３を外ケース３’側に折り曲げることで、図１８に示すように、各保持部１３１’〜１３４’を外ケース３’側（図において左方側）に平面展開することができる。
【０１８８】
これにより、全ての保持部１３１’〜１３４’を同時に平面的に視認可能な状態に展開することができ、それぞれの保持部１３１’〜１３４’に保持された収納物７０を容易に選択的に取り出すことができる。また、外ケース３’側に折り返されて外ケース３’に重ねられた収納物保持部の分だけ、外ケース３’から遠ざかるように展開される上記第２の実施の形態のものに比べて展開スペースを小さくすることができる。
【０１８９】
なお、扉部８８’ａ、８８’ｂ、８９’ａ、８９’ｂ、９０’ａ、９０’ｂ、９１’ａ、９１’ｂに、収納物を識別する情報などを印しておけば、各保持部１３１’〜１３４’に保持された収納物の識別力を高めることができ、取り出すべき収納物の選択が容易になる。
【０１９０】
（第４の実施の形態）
図２４は第４の実施の形態による収納ケースを示す。なお、第１の実施の形態と同じ構成部分には同一の符号を付しその詳細な説明は省略する。
【０１９１】
本実施の形態では、収納物支持部１７１に対して略コ字状の覆い部１７０が向き合わせられており、両者の間の空間が収納物保持部１８０として機能する。覆い部１７０において、Ｕ字状に切り欠かれている側の反対側の側縁部に収納物支持部１７１が連結され、この連結部で収納物支持部１７１が折り返されることで覆い部１７０と収納物支持部１７１とが向き合わされている。
【０１９２】
また、収納物保持部１８０の側壁として機能する折曲部１７２ａ、１７２ｂをミシン目状としている。これにより、収納物保持部１８０内に収納された収納物７０にかかる圧迫力を抑えることができる。なお、ミシン目に限らずスリットを形成してもよい。
【０１９３】
また、紙材にミシン目やスリットを形成することからその強度低下や耐久性の問題を考慮すると、ミシン目において破断部の割合は全長さ６０％以下、スリットの場合には全長さの７０％以下とするのが好ましい。
【０１９４】
（第５の実施の形態）
図２５は第６の実施の形態による内ケースの要部断面を示す。本実施の形態では、相対向して形成された２本の罫線１６６ａ、１６６ｂを折り曲げることによって、収納物保持部１６８の内壁を構成するようにしている。２本の罫線１６６ａ、１６６ｂ間の間隙の大きさａを調整することによって、収納物保持部１６８内の空間寸法を調整できる。
【０１９５】
例えば、収納物としてディスク状記録媒体２０を考えた場合、ディスク状記録媒体２０では±０．４ｍｍ以下の反りであれば規格上許容されている。したがって、必要とされる間隙の大きさａとしてはディスク状記録媒体２０の厚さに加えて反り量も考慮しなくてはならない。そこで、許容される最大限の反り量（絶対値）を有するディスク状記録媒体（反対方向にそれぞれ最大０．４ｍｍずつ反っているディスク状記録媒体）２０の収納を可能とするには、（ディスク状記録媒体２０の厚さ＋０．８ｍｍ）の大きさの間隙を確保しておけば、反りの生じたディスク状記録媒体２０に無理な圧迫力を作用させずに収納できる。
【０１９６】
あるいは、紙材として例えばＦフルート（厚さ０．７ｍｍ）、Ｇフルート（厚さ０．５ｍｍ）といった極薄の段ボール１６７を使用した場合、図２６に示すように、エンボス加工によって、ディスク状記録媒体２０を嵌め込むための凹部を形成させることができる。この場合、罫線１６６ａ、１６６ｂ間の間隙の大きさｂをディスク状記録媒体２０の厚さよりも小さくすることで、収納物保持部１６８内に必要以上の空間が形成されることによるディスク状記録媒体２０の過剰な動きあるいは振動を防いで、ディスク状記録媒体２０の保持力を高めることができる。
【０１９７】
この場合の間隙の大きさｂとしては、厚さ０．７ｍｍのＦフルートあるいは厚さ０．５ｍｍのＧフルートに対する現実的なエンボス加工量を考慮して、小さくしても（ディスク状記録媒体２０の厚さ−０．５ｍｍ）までとする。
【０１９８】
なお、収納物保持部１６８の内壁を１本の罫線で構成した場合でも、その罫線の幅を調整することで上記間隙ａ、ｂの大きさは調整できる。罫線の幅は、紙材に押し付ける押し刃自体の幅を調整したり、あるいは複数本の押し刃を同時に押し付けるなどして調整可能である。
【０１９９】
以上、本発明の各実施の形態について説明したが、勿論、本発明はこれらに限定されることなく、本発明の技術的思想に基づいて種々の変形が可能である。
【０２００】
上記各実施の形態の内ケースにおいて、少なくとも収納物が接触する保持部の部分に例えば不織布やその他収納物との接触摩擦を低減させる材料を被覆してもよい。
【０２０１】
外ケース３、３’は、一側面のみが開口した形状に限らず、その開口と対向する側面側も開口させてもよい。
【０２０２】
第１の実施の形態において、第１収納物支持部１７に形成された差込片２８を第２底板部２６に形成されたスリット５７に差し込むことに代えて、第１収納物支持部１７と第２底板部２６とを貼り合わせてもよい。
【０２０３】
図２２は、扉部８８ａと８８ｂとの係合関係の変形例を示し、上記第２の実施の形態と異なり、凸形状の係合部１０１ａが凹形状の係合部１０１ｂに差し込まれて扉部８８ｂの裏側に位置している。もちろん、この係合関係は扉部８８ａ、８８ｂ以外の他の扉部にも適用可能である。
【０２０４】
図２３は第１の実施の形態に係る収納ケースの変形例を示す。内ケース２が折り畳まれた状態、すなわち収納物支持部１７に収納物支持部１８、１９が重ねられ、更に収納物支持部１９に収納物支持部２０及び底板部２５が重ねられた状態で形成される４つの角部のうちの１つの角部（背板部とつながっていない側の、例えば図において左下に示される角部）を切り欠いて段が形成されるようにして、下に重なって見えなくなっていた収納物支持部１７、１９の一部を露出させている。
【０２０５】
これにより、収納物支持部１８、１９を切り欠いた部分に指を掛けて背板部５２を中心に展開すれば収納物支持部１７、１８を見開くことができ、収納物支持部２０及び底板部２５を切り欠いた部分に指を掛けて背板部５２を中心に展開すれば収納物支持部１９、２０を見開くことができ、このように所望の収納物支持部を１回の動作で見開くことができる。また、図に示すように、収納物支持部１７、１９の露出部、及び一番上に重なっている底板部２５に例えば数字や文字、記号などを印刷やラベルあるいは点字などで表示しておけば、使用者はその表示に基づいて即座に所望の収納物支持部を見開くことができる。
【０２０６】
収納物保持部には、ディスク状記録媒体の他、ディスク状記録媒体に関する情報、歌詞や使用説明書等を記載した小冊子も合わせて収納してもよい。その他、磁気カード、ＩＣカード、板状のチョコレートなどの薄型の菓子類なども収納可能である。また、保持部の数は上記各実施の形態に示す数に限ることはない。
【０２０７】
【発明の効果】
本発明によれば、内ケースの各収納物保持部に収納物がそれぞれ保持された状態で、収納物は内ケースごと外ケース内に収納されるので、複数の収納物どうしが擦れ合って傷付くことを防げ、また、取り出し時には複数の収納物保持部が相互に隣り合って展開されるので各収納物の選択的な取り出しを容易に行える。
【図面の簡単な説明】
【図１】第１の実施の形態において、内ケースが外ケースから引き出された状態の収納ケースの斜視図である。
【図２】図１の状態から内ケースが畳まれた状態を示す斜視図である。
【図３】第１の実施の形態による収納ケースの平面図である。
【図４】図３の裏面図である。
【図５】第１の実施の形態による内ケースの斜視図である。
【図６】同内ケースが得られる内ケースブランクの平面図である。
【図７】同内ケースブランクの折り曲げ途中を示す斜視図である。
【図８】第１の実施の形態における外ケースブランクの平面図である。
【図９】同外ケースブランクの折り曲げ途中を示す斜視図である。
【図１０】第２の実施の形態において、内ケースが外ケースから引きだされ展開された状態の平面図である。
【図１１】図１０の状態から保持部が折り畳まれた状態の平面図である。
【図１２】第２の実施の形態による収納ケースの平面図である。
【図１３】図１２の裏面図である。
【図１４】第２の実施の形態における内ケースブランクの平面図である。
【図１５】図１４の状態から所定の箇所を折り曲げた状態の平面図である。
【図１６】第２の実施の形態における外ケースブランクの平面図である。
【図１７】同外ケースブランクの折り曲げ途中を示す斜視図である。
【図１８】第３の実施の形態において、内ケースが外ケースから引きだされ展開された状態の平面図である。
【図１９】図１８の状態から保持部が折り畳まれた状態の平面図である。
【図２０】第２の実施の形態における内ケースブランクの平面図である。
【図２１】図２０の状態から所定の箇所を折り曲げた状態の平面図である。
【図２２】第２、３実施の形態における保持部の変形例を示す要部の拡大平面図である。
【図２３】第１の実施の形態に係る収納ケースの変形例を示す平面図である。
【図２４】第４の実施の形態による収納ケースの斜視図である。
【図２５】第５の実施の形態による収納ケースの要部断面図である。
【図２６】第５の実施の形態による収納ケースの要部断面図である。
【符号の説明】
１…収納ケース、２…内ケース、３…外ケース、３’…外ケース、４…挿入口、４’…挿入口、５…外ケースブランク、５’…外ケースブランク、１０…外ケース側係止片、１０’…外ケース側係止片、１６…内ケースブランク、１７〜２０…収納物支持部、２１ａ，２１ｂ，２２ａ，２２ｂ，２３ａ，２３ｂ，２４ａ，２４ｂ…張出し部、２５…第１底板部、２６…第２底板部、３１…連結部、４１…連結部、５２…背板部、５６ａ，５６ｂ…内ケース側係止片、６０〜６３…収納物保持部、７０…収納物、８０…収納ケース、８１…内ケース、８２…内ケースブランク、８３…底板部、８４〜８７…収納物支持部、８４’〜８７’…収納物支持部、８８ａ，８８ｂ，８９ａ，８９ｂ，９０ａ，９０ｂ，９１ａ，９１ｂ…扉部、８８’ａ，８８’ｂ，８９’ａ，８９’ｂ，９０’ａ，９０’ｂ，９１’ａ，９１’ｂ…扉部、１０１ａ，１０１ｂ，１０２ａ，１０２ｂ，１０３ａ，１０３ｂ，１０４ａ，１０４ｂ…係合部、１０１’ａ，１０１’ｂ，１０２’ａ，１０２’ｂ，１０３’ａ，１０３’ｂ，１０４’ａ，１０４’ｂ…係合部、１１６…主係止片（内ケース側係止片）、１２０…補助係止片（内ケース側係止片）、１３１〜１３４…収納物保持部、１３１’〜１３４’…収納物保持部、１４０…収納ケース、１４１…内ケース。１４２…内ケースブランク、１４５…底板部、１４６…内ケース側係止片、１４９…蓋部、１５０…覆い部。
【図１】
2004292010.tif 000003
【図２】
2004292010.tif 000004
【図３】
2004292010.tif 000005
【図４】
2004292010.tif 000006
【図５】
2004292010.tif 000007
【図６】
2004292010.tif 000008
【図７】
2004292010.tif 000009
【図８】
2004292010.tif 000010
【図９】
2004292010.tif 000011
【図１０】
2004292010.tif 000012
【図１１】
2004292010.tif 000013
【図１２】
2004292010.tif 000014
【図１３】
2004292010.tif 000015
【図１４】
2004292010.tif 000016
【図１５】
2004292010.tif 000017
【図１６】
2004292010.tif 000018
【図１７】
2004292010.tif 000019
【図１８】
2004292010.tif 000020
【図１９】
2004292010.tif 000021
【図２０】
2004292010.tif 000022
【図２１】
2004292010.tif 000023
【図２２】
2004292010.tif 000024
【図２３】
2004292010.tif 000025
【図２４】
2004292010.tif 000026
【図２５】
2004292010.tif 000027
【図２６】
2004292010.tif 000028